(57)【特許請求の範囲】
【請求項１】
内燃機関と、
車軸に連結された駆動軸に接続されると共に該駆動軸とは独立に回転可能に前記内燃機関の出力軸に接続され、電力と動力の入出力を伴って前記駆動軸と前記出力軸とに動力を入出力する電力動力入出力手段と、
走行用の動力を入出力する電動機と、
充放電可能な蓄電手段と、
前記電力動力入出力手段および前記電動機に接続されると共に前記蓄電手段に接続され、前記電力動力入出力手段および前記電動機側である駆動側の電圧と前記蓄電手段側の電圧とを調整することにより前記駆動側と前記蓄電手段側との電力の授受を行なう電圧調整電力授受手段と、
車速を検出する車速検出手段と、
走行に要求される要求駆動力を設定する要求駆動力設定手段と、
前記検出された車速が所定車速未満のときには前記駆動側の電圧が前記電力動力入出力手段および前記電動機の定格値から予め設定された許容最大電圧より低い第１電圧以下で調整されるよう前記電圧調整電力授受手段を制御すると共に前記設定された要求駆動力に基づく駆動力によって走行するよう前記内燃機関と前記電力動力入出力手段と前記電動機とを制御し、前記検出された車速が前記所定車速以上のときには前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御する制御手段と、
を備えるハイブリッド車。
【請求項２】
請求項１記載のハイブリッド車であって、
前記電力動力入出力手段または前記電動機の温度を検出する温度検出手段を備え、
前記制御手段は、前記検出された温度が所定温度以上のときには、前記検出された車速に拘わらずに、前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御する手段である、
ハイブリッド車。
【請求項３】
前記制御手段は、前記設定された要求駆動力に基づく要求パワーと所定の制約とに基づいて前記内燃機関の目標運転ポイントを設定すると共に該設定した目標運転ポイントで前記内燃機関が運転されると共に前記要求駆動力によって走行するよう前記電力動力入出力手段および前記電動機の駆動指令を設定し、前記検出された車速が所定車速未満のときには前記第１電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御し、前記検出された車速が所定車速以上のときには前記許容最大電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御する手段である請求項１または２記載のハイブリッド車。
【請求項４】
前記制御手段は、前記検出された車速が所定車速未満のときには前記駆動側の電圧が前記電力動力入出力手段および前記電動機の定格値から予め設定された許容最大電圧より低い第１電圧以下で調整されるよう前記電圧調整電力授受手段を制御すると共に前記設定された要求駆動力に基づく駆動力によって走行するよう前記内燃機関と前記電力動力入出力手段と前記電動機とを制御し、前記検出された車速が前記所定車速以上で第２の所定車速未満のときには前記駆動側の電圧が前記許容最大電圧より低くて前記第１電圧より高い第２電圧以下で調整されるよう前記電圧調整電力授受手段を制御すると共に前記設定された要求駆動力に基づく駆動力によって走行するよう前記内燃機関と前記電力動力入出力手段と前記電動機とを制御し、前記検出された車速が前記第２の所定車速以上のときには前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御する手段である請求項１または２記載のハイブリッド車。
【請求項５】
前記制御手段は、前記設定された要求駆動力に基づく要求パワーと所定の制約とに基づいて前記内燃機関の目標運転ポイントを設定すると共に該設定した目標運転ポイントで前記内燃機関が運転されると共に前記要求駆動力によって走行するよう前記電力動力入出力手段および前記電動機の駆動指令を設定し、前記検出された車速が前記所定車速未満のときには前記第１電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御し、前記検出された車速が前記所定車速以上で前記第２の所定車速未満のときには前記第２電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御し、前記検出された車速が前記第２の所定車速以上のときには前記許容最大電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御する手段である請求項４記載のハイブリッド車。
【請求項６】
前記電力動力入出力手段は、動力を入出力する電動機と、前記駆動軸と前記出力軸と前記電動機の回転軸との３軸に接続され該３軸のうちのいずれか２軸に入出力される動力に基づいて残余の軸に動力を入出力する３軸式動力入出力手段と、を備える手段である請求項１ないし５いずれか１つの請求項に記載のハイブリッド車。
【請求項７】
内燃機関と、車軸に連結された駆動軸に接続されると共に該駆動軸とは独立に回転可能に前記内燃機関の出力軸に接続され電力と動力の入出力を伴って前記駆動軸と前記出力軸とに動力を入出力する電力動力入出力手段と、走行用の動力を入出力する電動機と、充放電可能な蓄電手段と、前記電力動力入出力手段および前記電動機に接続されると共に前記蓄電手段に接続され前記電力動力入出力手段および前記電動機側である駆動側の電圧と前記蓄電手段側の電圧とを調整することにより前記駆動側と前記蓄電手段側との電力の授受を行なう電圧調整電力授受手段と、を備えるハイブリッド車の制御方法であって、
車速が所定車速未満のときには前記駆動側の電圧が前記電力動力入出力手段および前記電動機の定格値から予め設定された許容最大電圧より低い第１電圧以下で調整されるよう前記電圧調整電力授受手段を制御すると共に走行に要求される要求駆動力に基づく駆動力によって走行するよう前記内燃機関と前記電力動力入出力手段と前記電動機とを制御し、車速が前記所定車速以上のときには前記駆動側の電圧が前記許容最大電圧以下で調整されるよう前記電圧調整電力授受手段を制御すると共に前記要求駆動力に基づく駆動力によって走行するよう前記内燃機関と前記電力動力入出力手段と前記電動機とを制御する、
ことを特徴とするハイブリッド車の制御方法。
【請求項８】
前記電動機の温度が所定温度以上のときには、車速に拘わらずに、前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御することを特徴とする請求項７記載のハイブリッド車の制御方法。
【発明の詳細な説明】
【技術分野】
【０００１】
本発明は、ハイブリッド車およびその制御方法に関する。
【背景技術】
【０００２】
従来、この種のハイブリッド車が搭載する電動機駆動制御システムとしては、バッテリからの電力を昇圧してモータに供給するコンバータを備え、システム全体の損失が低減するようモータ側の電圧指令を設定し、設定した電圧指令に基づいてコンバータを制御するものが提案されている（例えば、特許文献１参照）。このシステムでは、設定した電圧指令となるようコンバータを制御することにより、システムの損失を低減し、エネルギ効率の向上を図っている。
【特許文献１】特開２００７−３２５３５１号公報
【発明の開示】
【発明が解決しようとする課題】
【０００３】
エンジンからの動力を遊星歯車機構と二つのモータとによりトルク変換して車軸側に出力することにより走行するハイブリッド車では、燃費の向上を図る観点から二つのモータとバッテリとの電力のやりとりを司るＤＣ／ＤＣコンバータにより、モータ側の電圧がバッテリ電圧より高くなるように調整しているが、こうしたハイブリッド車でも、上述した駆動システムのように、システムの損失が低減されるようモータ側の電圧を調整するものとすると、モータ側の電圧調整によりエンジンから必要なパワーを出力することができないときにはバッテリからの放電が行なわれ、バッテリの放電過多を招く場合が生じる。
【０００４】
本発明のハイブリッド車およびその制御方法は、車両全体のエネルギ効率の向上を図ると共に二次電池などの蓄電装置の放電過多を抑制することを主目的とする。
【課題を解決するための手段】
【０００５】
本発明のハイブリッド車およびその制御方法は、上述の主目的を達成するために以下の手段を採った。
【０００６】
本発明のハイブリッド車は、
内燃機関と、
車軸に連結された駆動軸に接続されると共に該駆動軸とは独立に回転可能に前記内燃機関の出力軸に接続され、電力と動力の入出力を伴って前記駆動軸と前記出力軸とに動力を入出力する電力動力入出力手段と、
走行用の動力を入出力する電動機と、
充放電可能な蓄電手段と、
前記電力動力入出力手段および前記電動機に接続されると共に前記蓄電手段に接続され、前記電力動力入出力手段および前記電動機側である駆動側の電圧と前記蓄電手段側の電圧とを調整することにより前記駆動側と前記蓄電手段側との電力の授受を行なう電圧調整電力授受手段と、
車速を検出する車速検出手段と、
走行に要求される要求駆動力を設定する要求駆動力設定手段と、
前記検出された車速が所定車速未満のときには前記駆動側の電圧が前記電力動力入出力手段および前記電動機の定格値から予め設定された許容最大電圧より低い第１電圧以下で調整されるよう前記電圧調整電力授受手段を制御すると共に前記設定された要求駆動力に基づく駆動力によって走行するよう前記内燃機関と前記電力動力入出力手段と前記電動機とを制御し、前記検出された車速が前記所定車速以上のときには前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御する制御手段と、
を備えることを要旨とする。
【０００７】
この本発明のハイブリッド車では、車速が所定車速未満のときには電力動力入出力手段および電動機側である駆動側の電圧が電力動力入出力手段および電動機の定格値から予め設定された許容最大電圧より低い第１電圧以下で調整されるよう電圧調整電力授受手段を制御すると共に走行に要求される要求駆動力に基づく駆動力によって走行するよう内燃機関と電力動力入出力手段と電動機とを制御し、車速が所定車速以上のときには駆動側の電圧が許容最大電圧以下で調整されるよう電圧調整電力授受手段を制御すると共に要求駆動力に基づく駆動力によって走行するよう内燃機関と電力動力入出力手段と電動機とを制御する。これにより、駆動側の電圧を第１電圧以下で制御する方が許容最大電圧以下で制御するよりエネルギ効率がよい車両におけるエネルギ効率の向上を図ることができると共に駆動側の電圧を第１電圧以下で制御したときに内燃機関から要求パワーを出力することができないために蓄電手段から放電されるのを抑制することができる。
【０００８】
こうした本発明のハイブリッド車において、前記電力動力入出力手段または前記電動機の温度を検出する温度検出手段を備え、前記制御手段は、前記検出された温度が所定温度以上のときには、前記検出された車速に拘わらずに、前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御する手段である、ものとすることもできる。一般的に電動機や発電機を駆動する場合、電動機や発電機に流れる電流は電圧が高いほど小さくなるから、電力動力入出力手段や電動機の温度が高いときに駆動側の電圧を許容最大電圧以下で調整することにより、電力動力入出力手段や電動機の温度の上昇を抑制することができる。
【０００９】
また、本発明のハイブリッド車において、前記制御手段は、前記設定された要求駆動力に基づく要求パワーと所定の制約とに基づいて前記内燃機関の目標運転ポイントを設定すると共に該設定した目標運転ポイントで前記内燃機関が運転されると共に前記要求駆動力によって走行するよう前記電力動力入出力手段および前記電動機の駆動指令を設定し、前記検出された車速が所定車速未満のときには前記第１電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御し、前記検出された車速が所定車速以上のときには前記許容最大電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御する手段である、ものとすることもできる。こうすれば、電力動力入出力手段および電動機の駆動指令に応じた電圧により電力動力入出力手段および電動機を制御することができる。
【００１０】
さらに、本発明のハイブリッド車において、前記制御手段は、前記検出された車速が所定車速未満のときには前記駆動側の電圧が前記電力動力入出力手段および前記電動機の定格値から予め設定された許容最大電圧より低い第１電圧以下で調整されるよう前記電圧調整電力授受手段を制御すると共に前記設定された要求駆動力に基づく駆動力によって走行するよう前記内燃機関と前記電力動力入出力手段と前記電動機とを制御し、前記検出された車速が前記所定車速以上で第２の所定車速未満のときには前記駆動側の電圧が前記許容最大電圧より低くて前記第１電圧より高い第２電圧以下で調整されるよう前記電圧調整電力授受手段を制御すると共に前記設定された要求駆動力に基づく駆動力によって走行するよう前記内燃機関と前記電力動力入出力手段と前記電動機とを制御し、前記検出された車速が前記第２の所定車速以上のときには前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御する手段である、ものとすることもできる。こうすれば、駆動側の電圧を第１電圧以下で制御する場合，第２電圧以下で制御する場合，許容最大電圧以下で制御する場合の順にエネルギ効率がよい車両におけるエネルギ効率の向上を図ることができると共に電力動力入出力手段および電動機側の電圧をより適正に調整することができる。この態様の本発明のハイブリッド車において、前記制御手段は、前記設定された要求駆動力に基づく要求パワーと所定の制約とに基づいて前記内燃機関の目標運転ポイントを設定すると共に該設定した目標運転ポイントで前記内燃機関が運転されると共に前記要求駆動力によって走行するよう前記電力動力入出力手段および前記電動機の駆動指令を設定し、前記検出された車速が前記所定車速未満のときには前記第１電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御し、前記検出された車速が前記所定車速以上で前記第２の所定車速未満のときには前記第２電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御し、前記検出された車速が前記第２の所定車速以上のときには前記許容最大電圧の範囲内で前記設定した駆動指令に基づいて実行用電圧を設定して前記駆動側の電圧が該実行用電圧に調整されるよう前記電圧調整電力授受手段を制御すると共に前記設定した目標運転ポイントで前記内燃機関が運転されると共に前記設定した駆動指令で前記電力動力入出力手段および前記電動機が駆動されて走行するよう前記内燃機関と前記電力動力入出力手段と前記電動機とを制御する手段であるものとすることもできる。こうすれば、電力動力入出力手段および電動機の駆動指令に応じた電圧により電力動力入出力手段および電動機を制御することができる。
【００１１】
あるいは、本発明のハイブリッド車において、前記電力動力入出力手段は、動力を入出力する電動機と、前記駆動軸と前記出力軸と前記電動機の回転軸との３軸に接続され該３軸のうちのいずれか２軸に入出力される動力に基づいて残余の軸に動力を入出力する３軸式動力入出力手段と、を備える手段であるものとすることもできる。
【００１２】
本発明のハイブリッド車の制御方法は、
内燃機関と、車軸に連結された駆動軸に接続されると共に該駆動軸とは独立に回転可能に前記内燃機関の出力軸に接続され電力と動力の入出力を伴って前記駆動軸と前記出力軸とに動力を入出力する電力動力入出力手段と、走行用の動力を入出力する電動機と、充放電可能な蓄電手段と、前記電力動力入出力手段および前記電動機に接続されると共に前記蓄電手段に接続され前記電力動力入出力手段および前記電動機側である駆動側の電圧と前記蓄電手段側の電圧とを調整することにより前記駆動側と前記蓄電手段側との電力の授受を行なう電圧調整電力授受手段と、を備えるハイブリッド車の制御方法であって、
車速が所定車速未満のときには前記駆動側の電圧が前記電力動力入出力手段および前記電動機の定格値から予め設定された許容最大電圧より低い第１電圧以下で調整されるよう前記電圧調整電力授受手段を制御すると共に走行に要求される要求駆動力に基づく駆動力によって走行するよう前記内燃機関と前記電力動力入出力手段と前記電動機とを制御し、車速が前記所定車速以上のときには前記駆動側の電圧が前記許容最大電圧以下で調整されるよう前記電圧調整電力授受手段を制御すると共に前記要求駆動力に基づく駆動力によって走行するよう前記内燃機関と前記電力動力入出力手段と前記電動機とを制御する、
ことを特徴とする。
【００１３】
この本発明のハイブリッド車の制御方法では、車速が所定車速未満のときには電力動力入出力手段および電動機側である駆動側の電圧が電力動力入出力手段および電動機の定格値から予め設定された許容最大電圧より低い第１電圧以下で調整されるよう電圧調整電力授受手段を制御すると共に走行に要求される要求駆動力に基づく駆動力によって走行するよう内燃機関と電力動力入出力手段と電動機とを制御し、車速が所定車速以上のときには駆動側の電圧が許容最大電圧以下で調整されるよう電圧調整電力授受手段を制御すると共に要求駆動力に基づく駆動力によって走行するよう内燃機関と電力動力入出力手段と電動機とを制御する。これにより、駆動側の電圧を第１電圧以下で制御する方が許容最大電圧以下で制御するよりエネルギ効率がよい車両におけるエネルギ効率の向上を図ることができると共に駆動側の電圧を第１電圧以下で制御したときに内燃機関から要求パワーを出力することができないために蓄電手段から放電されるのを抑制することができる。
【００１４】
こうした本発明のハイブリッド車の制御方法において、前記電動機の温度が所定温度以上のときには、車速に拘わらずに、前記駆動側の電圧が前記許容最大電圧以下で調整されるよう前記電圧調整電力授受手段を制御すると共に前記設定された要求駆動力に基づく駆動力によって走行するよう前記内燃機関と前記電力動力入出力手段と前記電動機とを制御することを特徴とするものとすることもできる。電動機から同一のトルクを出力する場合、電動機に流れる電流は電圧が高いほど小さくなるから、電動機の温度が高いときに駆動側の電圧を許容最大電圧以下で調整することにより、電動機の温度の上昇を抑制することができる。
【発明を実施するための最良の形態】
【００１５】
次に、本発明を実施するための最良の形態を実施例を用いて説明する。
【実施例】
【００１６】
図１は本発明の一実施例であるハイブリッド自動車２０の構成の概略を示す構成図であり、図２はモータＭＧ１，ＭＧ２を含む電機駆動系の構成の概略を示す構成図である。実施例のハイブリッド自動車２０は、図１に示すように、エンジン２２と、エンジン２２の出力軸としてのクランクシャフト２６にダンパ２８を介して接続された３軸式の動力分配統合機構３０と、動力分配統合機構３０に接続された発電可能なモータＭＧ１と、動力分配統合機構３０に接続された駆動軸としてのリングギヤ軸３２ａに減速ギヤ３５を介して接続されたモータＭＧ２と、直流電流を交流電流に変換してモータＭＧ１，ＭＧ２に供給可能なインバータ４１，４２と、バッテリ５０からの電力をその電圧を変換してインバータ４１，４２に供給可能な昇圧回路５５と、バッテリ５０と昇圧回路５５とに介在するシステムメインリレー５６と、車両全体をコントロールするハイブリッド用電子制御ユニット７０とを備える。
【００１７】
エンジン２２は、例えばガソリンまたは軽油などの炭化水素系の燃料により動力を出力する内燃機関であり、エンジン用電子制御ユニット（以下、エンジンＥＣＵという）２４により燃料噴射制御や点火制御，吸入空気量調節制御などの運転制御を受けている。エンジンＥＣＵ２４には、エンジン２２の運転状態を検出する各種センサからの信号、例えば、エンジン２２のクランクシャフト２６のクランク角を検出する図示しないクランクポジションセンサからのクランクポジションなどが入力されている。エンジンＥＣＵ２４は、ハイブリッド用電子制御ユニット７０と通信しており、ハイブリッド用電子制御ユニット７０からの制御信号によりエンジン２２を運転制御すると共に必要に応じてエンジン２２の運転状態に関するデータをハイブリッド用電子制御ユニット７０に出力する。なお、エンジンＥＣＵ２４は、図示しないクランクポジションセンサからのクランクポジションに基づいてクランクシャフト２６の回転数、即ちエンジン２２の回転数Ｎｅも演算している。
【００１８】
動力分配統合機構３０は、外歯歯車のサンギヤ３１と、このサンギヤ３１と同心円上に配置された内歯歯車のリングギヤ３２と、サンギヤ３１に噛合すると共にリングギヤ３２に噛合する複数のピニオンギヤ３３と、複数のピニオンギヤ３３を自転かつ公転自在に保持するキャリア３４とを備え、サンギヤ３１とリングギヤ３２とキャリア３４とを回転要素として差動作用を行なう遊星歯車機構として構成されている。動力分配統合機構３０は、キャリア３４にはエンジン２２のクランクシャフト２６が、サンギヤ３１にはモータＭＧ１が、リングギヤ３２にはリングギヤ軸３２ａを介して減速ギヤ３５がそれぞれ連結されており、モータＭＧ１が発電機として機能するときにはキャリア３４から入力されるエンジン２２からの動力をサンギヤ３１側とリングギヤ３２側にそのギヤ比に応じて分配し、モータＭＧ１が電動機として機能するときにはキャリア３４から入力されるエンジン２２からの動力とサンギヤ３１から入力されるモータＭＧ１からの動力を統合してリングギヤ３２側に出力する。リングギヤ３２に出力された動力は、リングギヤ軸３２ａからギヤ機構６０およびデファレンシャルギヤ６２を介して、最終的には車両の駆動輪６３ａ，６３ｂに出力される。
【００１９】
モータＭＧ１およびモータＭＧ２は、図２に示すように、いずれも外表面に永久磁石が貼り付けられたロータと三相コイルが巻回されたステータとを備える周知の同期発電電動機として構成されており、インバータ４１，４２および昇圧回路５５を介してバッテリ５０と電力のやりとりを行なう。実施例では、モータＭＧ１，ＭＧ２およびインバータ４１，４２として、定格値として入力最大電圧Ｖｓｅｔ（例えば６５０Ｖ）のものを用いた。インバータ４１，４２は、６つのトランジスタＴ１１〜Ｔ１６，Ｔ２１〜２６と、トランジスタＴ１１〜Ｔ１６，Ｔ２１〜Ｔ２６に逆方向に並列接続された６つのダイオードＤ１１〜Ｄ１６，Ｄ２１〜Ｄ２６と、により構成されている。トランジスタＴ１１〜Ｔ１６，Ｔ２１〜Ｔ２６は、それぞれインバータ４１，４２が電力ライン５４として共用する正極母線５４ａと負極母線５４ｂとに対してソース側とシンク側になるよう２個ずつペアで配置されており、対となるトランジスタ同士の接続点の各々にモータＭＧ１，ＭＧ２の三相コイル（Ｕ相，Ｖ相，Ｗ相）の各々が接続されている。したがって、正極母線５４ａと負極母線５４ｂとの間に電圧が作用している状態で対をなすトランジスタＴ１１〜Ｔ１６，Ｔ２１〜Ｔ２６のオン時間の割合を制御することにより三相コイルに回転磁界を形成でき、モータＭＧ１，ＭＧ２を回転駆動することができる。インバータ４１，４２は、正極母線５４ａと負極母線５４ｂとを共用しているから、モータＭＧ１，ＭＧ２のいずれかで発電される電力を他のモータに供給することができる。なお、正極母線５４ａと負極母線５４ｂとには平滑用のコンデンサ５７が接続されている。モータＭＧ１，ＭＧ２は、いずれもモータ用電子制御ユニット（以下、モータＥＣＵという）４０により駆動制御されている。モータＥＣＵ４０には、モータＭＧ１，ＭＧ２を駆動制御するために必要な信号、例えばモータＭＧ１，ＭＧ２の回転子の回転位置を検出する回転位置検出センサ４３，４４からの信号やモータＭＧ２に取り付けられた温度センサ４６からのモータ温度Ｔｍ，図示しない電流センサにより検出されるモータＭＧ１，ＭＧ２に印加される相電流などが入力されており、モータＥＣＵ４０からは、インバータ４１，４２のトランジスタＴ１１〜Ｔ１６，Ｔ２１〜Ｔ２６へのスイッチング制御信号が出力されている。モータＥＣＵ４０は、ハイブリッド用電子制御ユニット７０と通信しており、ハイブリッド用電子制御ユニット７０からの制御信号によってモータＭＧ１，ＭＧ２を駆動制御すると共に必要に応じてモータＭＧ１，ＭＧ２の運転状態に関するデータをハイブリッド用電子制御ユニット７０に出力する。また、モータＥＣＵ４０は、回転位置検出センサ４３，４４からの信号に基づいてモータＭＧ１，ＭＧ２の回転数Ｎｍ１，Ｎｍ２も演算している。
【００２０】
昇圧回路５５は、図２に示すように、２つのトランジスタＴ３１，Ｔ３２とトランジスタＴ３１，Ｔ３２に逆方向に並列接続された２つのダイオードＤ３１，Ｄ３２とリアクトルＬとにより構成されている。２つのトランジスタＴ３１，Ｔ３２は、それぞれインバータ４１，４２の正極母線５４ａと負極母線５４ｂとに接続されており、その接続点にリアクトルＬが接続されている。また、リアクトルＬと負極母線５４ｂとにはそれぞれシステムメインリレー５６を介してバッテリ５０の正極端子と負極端子とが接続されている。したがって、トランジスタＴ３１，Ｔ３２をオンオフ制御することによりバッテリ５０の直流電力をその電圧を昇圧してインバータ４１，４２に供給したり正極母線５４ａと負極母線５４ｂとに作用している直流電圧を降圧してバッテリ５０を充電したりすることができる。リアクトルＬと負極母線５４ｂとには平滑用のコンデンサ５８が接続されている。以下、昇圧回路５５より電力ライン５４側を高電圧系といい、昇圧回路５５よりバッテリ５０側を低電圧系という。
【００２１】
バッテリ５０は、例えば定格電圧が２００Ｖのリチウムイオン二次電池として構成されており、バッテリ用電子制御ユニット（以下、バッテリＥＣＵという）５２によって管理されている。バッテリＥＣＵ５２には、バッテリ５０を管理するのに必要な信号、例えば、バッテリ５０の端子間に設置された電圧センサ５１ａからの端子間電圧Ｖｂ，バッテリ５０の出力端子に接続された電力ラインに取り付けられた電流センサ５１ｂからの充放電電流Ｉｂ，バッテリ５０に取り付けられた温度センサ５１ｃからの電池温度Ｔｂなどが入力されており、必要に応じてバッテリ５０の状態に関するデータを通信によりハイブリッド用電子制御ユニット７０に出力する。また、バッテリＥＣＵ５２は、バッテリ５０を管理するために電流センサ５１ｂにより検出された充放電電流Ｉｂの積算値に基づいて残容量ＳＯＣを演算したり、バッテリ５０の入出力制限Ｗｉｎ，Ｗｏｕｔを設定したりしている。
【００２２】
ハイブリッド用電子制御ユニット７０は、ＣＰＵ７２を中心とするマイクロプロセッサとして構成されており、ＣＰＵ７２の他に処理プログラムを記憶するＲＯＭ７４と、データを一時的に記憶するＲＡＭ７６と、図示しない入出力ポートおよび通信ポートとを備える。ハイブリッド用電子制御ユニット７０には、温度センサ５５ａからの昇圧回路５５の温度Ｔｕｐ（例えば、リアクトルＬの温度）や、電圧センサ５７ａからのコンデンサ５７の電圧（以下、高電圧系の電圧ＶＨという），電圧センサ５８ａからのコンデンサ５８の電圧，イグニッションスイッチ８０からのイグニッション信号，シフトレバー８１の操作位置を検出するシフトポジションセンサ８２からのシフトポジションＳＰ，アクセルペダル８３の踏み込み量を検出するアクセルペダルポジションセンサ８４からのアクセル開度Ａｃｃ，ブレーキペダル８５の踏み込み量を検出するブレーキペダルポジションセンサ８６からのブレーキペダルポジションＢＰ，車速センサ８８からの車速Ｖなどが入力ポートを介して入力されている。ハイブリッド用電子制御ユニット７０からは、昇圧回路５５のトランジスタＴ３１，Ｔ３２へのスイッチング制御信号やシステムメインリレー５６への駆動信号などが出力ポートを介して出力されている。ハイブリッド用電子制御ユニット７０は、前述したように、エンジンＥＣＵ２４やモータＥＣＵ４０，バッテリＥＣＵ５２と通信ポートを介して接続されており、エンジンＥＣＵ２４やモータＥＣＵ４０，バッテリＥＣＵ５２と各種制御信号やデータのやりとりを行なっている。
【００２３】
こうして構成された実施例のハイブリッド自動車２０は、運転者によるアクセルペダル８３の踏み込み量に対応するアクセル開度Ａｃｃと車速Ｖとに基づいて駆動軸としてのリングギヤ軸３２ａに出力すべき要求トルクを計算し、この要求トルクに対応する要求動力がリングギヤ軸３２ａに出力されるように、エンジン２２とモータＭＧ１とモータＭＧ２とが運転制御される。エンジン２２とモータＭＧ１とモータＭＧ２の運転制御としては、要求動力に見合う動力がエンジン２２から出力されるようにエンジン２２を運転制御すると共にエンジン２２から出力される動力のすべてが動力分配統合機構３０とモータＭＧ１とモータＭＧ２とによってトルク変換されてリングギヤ軸３２ａに出力されるようモータＭＧ１およびモータＭＧ２を駆動制御するトルク変換運転モードや要求動力とバッテリ５０の充放電に必要な電力との和に見合う動力がエンジン２２から出力されるようにエンジン２２を運転制御すると共にバッテリ５０の充放電を伴ってエンジン２２から出力される動力の全部またはその一部が動力分配統合機構３０とモータＭＧ１とモータＭＧ２とによるトルク変換を伴って要求動力がリングギヤ軸３２ａに出力されるようモータＭＧ１およびモータＭＧ２を駆動制御する充放電運転モード、エンジン２２の運転を停止してモータＭＧ２からの要求動力に見合う動力をリングギヤ軸３２ａに出力するよう運転制御するモータ運転モードなどがある。なお、トルク変換運転モードと充放電運転モードは、いずれもエンジン２２の運転を伴って要求動力がリングギヤ軸３２ａに出力されるようエンジン２２とモータＭＧ１，ＭＧ２とを制御するモードであり、実質的な制御における差異はないため、以下、両者を合わせてエンジン運転モードという。
【００２４】
次に、こうして構成された実施例のハイブリッド自動車２０の動作、特に高電圧系の電圧調整を伴って行なう駆動制御の際の動作について説明する。図３は実施例のハイブリッド用電子制御ユニット７０により実行される駆動制御ルーチンの一例を示すフローチャートであり、図４は高電圧系の電圧を制御するための電圧制御ルーチンの一例を示すフローチャートである。両ルーチン共、所定時間毎（例えば、数ｍｓｅｃ毎）に繰り返し実行される。以下、まず、駆動制御について説明し、その後、電圧制御について説明する。
【００２５】
駆動制御ルーチンが実行されると、ハイブリッド用電子制御ユニット７０のＣＰＵ７２は、まず、アクセルペダルポジションセンサ８４からのアクセル開度Ａｃｃや車速センサ８８からの車速Ｖ，モータＭＧ１，ＭＧ２の回転数Ｎｍ１，Ｎｍ２，バッテリ５０の入出力制限Ｗｉｎ，Ｗｏｕｔなど駆動制御に必要なデータを入力する処理を実行する（ステップＳ１００）。ここで、モータＭＧ１，ＭＧ２の回転数Ｎｍ１，Ｎｍ２は、回転位置検出センサ４３，４４により検出されたモータＭＧ１，ＭＧ２の回転子の回転位置に基づいて演算されたものをモータＥＣＵ４０から通信により入力するものとした。また、バッテリ５０の入出力制限Ｗｉｎ，Ｗｏｕｔは、バッテリ５０の電池温度Ｔｂとバッテリ５０の残容量ＳＯＣとに基づいて設定されたものをバッテリＥＣＵ５２から通信により入力するものとした。
【００２６】
こうしてデータを入力すると、入力したアクセル開度Ａｃｃと車速Ｖとに基づいて車両に要求されるトルクとして駆動輪６３ａ，６３ｂに連結された駆動軸としてのリングギヤ軸３２ａに出力すべき要求トルクＴｒ＊とエンジン２２に要求される要求パワーＰｅ＊とを設定すると共に（ステップＳ１１０）、エンジン２２を効率よく運転することができる運転ポイントを連続したラインとした動作ラインを用いてエンジン２２から要求パワーＰｅ＊を出力するための運転ポイントとしての目標回転数Ｎｅ＊と目標トルクＴｅ＊とを設定する（ステップＳ１２０）。ここで、要求トルクＴｒ＊は、実施例では、アクセル開度Ａｃｃと車速Ｖと要求トルクＴｒ＊との関係を予め定めて要求トルク設定用マップとしてＲＯＭ７４に記憶しておき、アクセル開度Ａｃｃと車速Ｖとが与えられると記憶したマップから対応する要求トルクＴｒ＊を導出して設定するものとした。図５に要求トルク設定用マップの一例を示す。要求パワーＰｅ＊は、設定した要求トルクＴｒ＊にリングギヤ軸３２ａの回転数Ｎｒを乗じたものとバッテリ５０が要求する充放電要求パワーＰｂ＊とロスＬｏｓｓとの和として計算することができる。なお、リングギヤ軸３２ａの回転数Ｎｒは、車速Ｖに換算係数ｋを乗じることによって求めたり、モータＭＧ２の回転数Ｎｍ２を減速ギヤ３５のギヤ比Ｇｒで割ることによって求めることができる。目標回転数Ｎｅ＊と目標トルクＴｅ＊の設定は、動作ラインと要求パワーＰｅ＊（Ｎｅ＊×Ｔｅ＊）が一定の曲線との交点として求めることができる。図６に動作ラインの一例と動作ラインを用いて目標回転数Ｎｅ＊と目標トルクＴｅ＊とを設定する様子の一例を示す。
【００２７】
次に、設定した目標回転数Ｎｅ＊とリングギヤ軸３２ａの回転数Ｎｒ（Ｎｍ２／Ｇｒ）と動力分配統合機構３０のギヤ比ρとを用いて次式（１）によりモータＭＧ１の目標回転数Ｎｍ１＊を計算すると共に計算した目標回転数Ｎｍ１＊と現在の回転数Ｎｍ１とに基づいて式（２）によりモータＭＧ１のトルク指令Ｔｍ１＊を計算する（ステップＳ１３０）。ここで、式（１）は、動力分配統合機構３０の回転要素に対する力学的な関係式である。動力分配統合機構３０の回転要素における回転数とトルクとの力学的な関係を示す共線図を図７に示す。図中、左のＳ軸はモータＭＧ１の回転数Ｎｍ１であるサンギヤ３１の回転数を示し、Ｃ軸はエンジン２２の回転数Ｎｅであるキャリア３４の回転数を示し、Ｒ軸はモータＭＧ２の回転数Ｎｍ２を減速ギヤ３５のギヤ比Ｇｒで除したリングギヤ３２の回転数Ｎｒを示す。式（１）は、この共線図を用いれば容易に導くことができる。なお、Ｒ軸上の２つの太線矢印は、モータＭＧ１から出力されたトルクＴｍ１がリングギヤ軸３２ａに作用するトルクと、モータＭＧ２から出力されるトルクＴｍ２が減速ギヤ３５を介してリングギヤ軸３２ａに作用するトルクとを示す。また、式（２）は、モータＭＧ１を目標回転数Ｎｍ１＊で回転させるためのフィードバック制御における関係式であり、式（２）中、右辺第２項の「ｋ１」は比例項のゲインであり、右辺第３項の「ｋ２」は積分項のゲインである。
【００２８】
Nm1*=Ne*・(1+ρ)/ρ-Nm2/(Gr・ρ)    (1)
Tm1*=ρ・Te*/(1+ρ)+k1(Nm1*-Nm1)+k2∫(Nm1*-Nm1)dt  (2)
【００２９】
こうしてモータＭＧ１の目標回転数Ｎｍ１＊とトルク指令Ｔｍ１＊とを計算すると、バッテリ５０の入出力制限Ｗｉｎ，Ｗｏｕｔと計算したモータＭＧ１のトルク指令Ｔｍ１＊に現在のモータＭＧ１の回転数Ｎｍ１を乗じて得られるモータＭＧ１の消費電力（発電電力）との偏差をモータＭＧ２の回転数Ｎｍ２で割ることによりモータＭＧ２から出力してもよいトルクの上下限としてのトルク制限Ｔｍｉｎ，Ｔｍａｘを次式（３）および式（４）により計算すると共に（ステップＳ１４０）、要求トルクＴｒ＊とトルク指令Ｔｍ１＊と動力分配統合機構３０のギヤ比ρを用いてモータＭＧ２から出力すべきトルクとしての仮モータトルクＴｍ２ｔｍｐを式（５）により計算し（ステップＳ１５０）、計算したトルク制限Ｔｍｉｎ，Ｔｍａｘで仮モータトルクＴｍ２ｔｍｐを制限した値としてモータＭＧ２のトルク指令Ｔｍ２＊を設定する（ステップＳ１６０）。このようにモータＭＧ２のトルク指令Ｔｍ２＊を設定することにより、駆動軸としてのリングギヤ軸３２ａに出力する要求トルクＴｒ＊を、バッテリ５０の入出力制限Ｗｉｎ，Ｗｏｕｔの範囲内で制限したトルクとして設定することができる。なお、式（５）は、前述した図７の共線図から容易に導き出すことができる。
【００３０】
Tmin=(Win-Tm1*・Nm1)/Nm2  (3)
Tmax=(Wout-Tm1*・Nm1)/Nm2  (4)
Tm2tmp=(Tr*+Tm1*/ρ)/Gr    (5)
【００３１】
こうしてエンジン２２の目標回転数Ｎｅ＊や目標トルクＴｅ＊，モータＭＧ１，ＭＧ２のトルク指令Ｔｍ１＊，Ｔｍ２＊を設定すると、エンジン２２の目標回転数Ｎｅ＊と目標トルクＴｅ＊についてはエンジンＥＣＵ２４に、モータＭＧ１，ＭＧ２のトルク指令Ｔｍ１＊，Ｔｍ２＊についてはモータＥＣＵ４０にそれぞれ送信して（ステップＳ１７０）、駆動制御ルーチンを終了する。目標回転数Ｎｅ＊と目標トルクＴｅ＊とを受信したエンジンＥＣＵ２４は、エンジン２２が目標回転数Ｎｅ＊と目標トルクＴｅ＊とによって示される運転ポイントで運転されるようにエンジン２２における燃料噴射制御や点火制御などの制御を行なう。また、トルク指令Ｔｍ１＊，Ｔｍ２＊を受信したモータＥＣＵ４０は、トルク指令Ｔｍ１＊でモータＭＧ１が駆動されると共にトルク指令Ｔｍ２＊でモータＭＧ２が駆動されるようインバータ４１，４２のトランジスタＴ１１〜Ｔ１６，Ｔ２１〜２６のスイッチング制御を行なう。
【００３２】
次に、電圧制御について説明する。図４の電圧制御ルーチンが実行されると、ハイブリッド用電子制御ユニット７０のＣＰＵ７２は、まず、車速センサ８８からの車速Ｖやモータ温度Ｔｍなど制御に必要なデータを入力する処理を実行する（ステップＳ３００）。ここで、モータ温度Ｔｍは、温度センサ４６により検出されたものをモータＥＣＵ４０から通信により入力するものとした。
【００３３】
こうしてデータを入力すると、入力したモータ温度を閾値Ｔｒｅｆと比較すると共に（ステップＳ３１０）、入力した車速Ｖを閾値Ｖｒｅｆと比較する（ステップＳ３１０）。ここで、閾値Ｔｒｅｆは、モータＭＧ１やモータＭＧ２の許容上限温度より低いが比較的高めの温度として設定されるものであり、モータＭＧ１やモータＭＧ２の性能などにより定めることができる。また、閾値Ｖｒｅｆは、高電圧系をインバータ４１，４２の入力最大電圧Ｖｓｅｔより小さな所定低電圧Ｖ１以下で制御してもモータＭＧ１やモータＭＧ２を良好に制御できる車速として設定されるものであり、例えば９０ｋｍ／ｈや１００ｋｍ／ｈなどを用いることができる。
【００３４】
モータ温度Ｔｍが閾値Ｔｒｅｆ未満で車速Ｖが閾値Ｖｒｅｆ未満のときには、高電圧系を所定低電圧Ｖ１以下で制御してもモータＭＧ１やモータＭＧ２を良好に制御できると判断し、高電圧系の最大電圧Ｖｍａｘに所定低電圧Ｖ１を設定し（ステップＳ３３０）、モータ温度Ｔｍが閾値Ｔｒｅｆ未満でも車速Ｖが閾値Ｖｒｅｆ以上のときやモータ温度Ｔｍが閾値Ｔｒｅｆ以上のときには、高電圧系を所定低電圧Ｖ１以下で制御するとモータＭＧ１やモータＭＧ２を良好に制御できないかモータＭＧ１やモータＭＧ２の温度が比較的高くて温度上昇を抑制すべきと判断し、高電圧系の最大電圧Ｖｍａｘにインバータ４１，４２の入力最大電圧Ｖｓｅｔを設定する（ステップＳ３４０）。そして、トルク指令Ｔｍ１＊，Ｔｍ２＊に基づいて設定される仮電圧と設定した最大電圧Ｖｍａｘのうち小さい電圧を電圧指令Ｖｈ＊として設定して（ステップＳ３５０）、本ルーチンを終了する。ここで、仮電圧は、実施例では、トルク指令Ｔｍ１＊，Ｔｍ２＊でモータＭＧ１，ＭＧ２を駆動したときにエネルギ効率が高くなる関係としてトルク指令Ｔｍ１＊，Ｔｍ２＊のうち絶対値が大きい方と仮電圧との関係を予め求めて仮電圧設定用マップとしてＲＯＭ７４に記憶しておき、トルク指令Ｔｍ１＊，Ｔｍ２＊が与えられるとその大きい方に対応する仮電圧をマップから導出して設定するものとした。図８に仮電圧設定用マップの一例を示す。従って、電圧指令Ｖｈ＊は、高電圧系を所定低電圧Ｖ１以下で制御してもモータＭＧ１やモータＭＧ２を良好に制御できるときには所定低電圧Ｖ１以下の範囲内で仮電圧が設定され、高電圧系を所定低電圧Ｖ１以下で制御するとモータＭＧ１やモータＭＧ２を良好に制御できないときやモータＭＧ１やモータＭＧ２の温度が比較的高くてその温度上昇を抑制すべきときには入力最大電圧Ｖｓｅｔ以下の範囲内で仮電圧が設定されることになる。なお、電圧指令Ｖｈ＊が設定されると、ハイブリッド用電子制御ユニット７０は高電圧系が電圧指令Ｖｈ＊となるよう昇圧回路５５のトランジスタＴ３１，Ｔ３２をスイッチング制御する。実施例のハイブリッド自動車２０では、高電圧系を所定低電圧Ｖ１以下で制御すると昇圧回路５５のトランジスタＴ３１，Ｔ３２のスイッチングによるロスやインバータ４１，４２のトランジスタＴ１１〜Ｔ１６，Ｔ２１〜２６のスイッチングによるロスなどが減少し、高電圧系を入力最大電圧Ｖｓｅｔ以下で制御する場合に比して、車両全体のエネルギ効率が向上するから、モータ温度Ｔｍが閾値Ｔｒｅｆ未満で車速Ｖが閾値Ｖｒｅｆ未満のときには高電圧系を所定低電圧Ｖ１以下で制御することにより、車両全体のエネルギ効率を向上させることができる。しかも、モータ温度Ｔｍが閾値Ｔｒｅｆ未満でも車速Ｖが閾値Ｖｒｅｆ以上のときには高電圧系を入力最大電圧Ｖｓｅｔ以下で制御するから、バッテリ５０が放電過多となるのを抑制することができる。また、モータ温度Ｔｍが閾値Ｔｒｅｆ以上のときには、車速Ｖに拘わらずに、高電圧系を入力最大電圧Ｖｓｅｔ以下で制御するから、モータＭＧ１やモータＭＧ２に流れる電流を小さくすることができ、モータＭＧ１やモータＭＧ２の温度上昇を抑制することができる。
【００３５】
以上説明した実施例のハイブリッド自動車２０によれば、車速Ｖが閾値Ｖｒｅｆ未満のときには高電圧系を所定低電圧Ｖ１以下で制御すると共にバッテリ５０の入出力制限Ｗｉｎ，Ｗｏｕｔの範囲内でエンジン２２が目標回転数Ｎｅ＊，目標トルクＴｅ＊で運転されると共に駆動軸としてのリングギヤ軸３２ａに要求トルクＴｒ＊が出力されて走行するようエンジン２２とモータＭＧ１，ＭＧ２とを制御することにより、車両全体のエネルギ効率を向上させることができる。しかも、車速Ｖが閾値Ｖｒｅｆ以上のときには高電圧系を入力最大電圧Ｖｓｅｔ以下で制御するから、車速Ｖが閾値Ｖｒｅｆ以上のときでも高電圧系を所定低電圧Ｖ１以下で制御することによるバッテリ５０の放電過多を抑制することができる。また、モータ温度Ｔｍが閾値Ｔｒｅｆ以上のときには、車速Ｖに拘わらずに、高電圧系を入力最大電圧Ｖｓｅｔ以下で制御するから、モータＭＧ１やモータＭＧ２に流れる電流を小さくすることができ、モータＭＧ１やモータＭＧ２の温度上昇を抑制することができる。さらに、車速Ｖと閾値Ｖｒｅｆとの比較により設定された所定低電圧Ｖ１または入力最大電圧Ｖｓｅｔの最大電圧Ｖｍａｘの範囲内でモータＭＧ１，ＭＧ２のトルク指令Ｔｍ１＊，Ｔｍ２＊に応じた電圧を電圧指令Ｖｈ＊として設定するから、モータＭＧ１，ＭＧ２のトルク指令Ｔｍ１＊，Ｔｍ２＊に応じた電圧でモータＭＧ１，ＭＧ２を駆動制御することができ、車両のエネルギ効率を向上させることができる。
【００３６】
実施例のハイブリッド自動車２０では、モータ温度Ｔｍが閾値Ｔｒｅｆ未満のときには、車速Ｖが閾値Ｖｒｅｆ未満のときには高電圧系を所定低電圧Ｖ１以下で制御し、車速Ｖが閾値Ｖｒｅｆ以上のときには高電圧系を入力最大電圧Ｖｓｅｔ以下で制御するものとしたが、モータ温度Ｔｍが閾値Ｔｒｅｆ未満のときには、車速Ｖが閾値Ｖｒｅｆ未満のときには高電圧系を所定低電圧Ｖ１以下で制御し、車速Ｖが閾値Ｖｒｅｆ以上でこの閾値Ｖｒｅｆより大きな閾値Ｖｒｅｆ２未満のときには高電圧系を所定低電圧Ｖ１より高く入力最大電圧Ｖｓｅｔより低い第２の所定低電圧Ｖ２以下で制御し、車速Ｖが閾値Ｖｒｅｆ２以上のときには高電圧系を入力最大電圧Ｖｓｅｔ以下で制御するものとしてもよい。なお、車速Ｖを３以上の段階的な閾値と比較し、各車速領域に基づいて高電圧系を対応する電圧以下で制御するものとしてもよい。
【００３７】
実施例のハイブリッド自動車２０では、モータ温度Ｔｍや車速Ｖに基づいて設定された最大電圧Ｖｍａｘの範囲内でモータＭＧ１，ＭＧ２のトルク指令Ｔｍ１＊，Ｔｍ２＊に応じた電圧を電圧指令Ｖｈ＊として設定するものとしたが、モータＭＧ１，ＭＧ２のトルク指令に拘わらずに、モータ温度Ｔｍや車速Ｖに基づいて設定された最大電圧Ｖｍａｘを電圧指令Ｖｈ＊として設定するものとしてもよい。
【００３８】
実施例のハイブリッド自動車２０では、モータ温度Ｔｍが閾値Ｔｒｅｆ以上のときには、車速Ｖに拘わらずに、高電圧系を入力最大電圧Ｖｓｅｔ以下で制御するものとしたが、モータ温度Ｔｍが閾値Ｔｒｅｆ以上であっても、車速Ｖが閾値Ｖｒｅｆ未満のときには高電圧系を所定低電圧Ｖ１以下で制御し、車速Ｖが閾値Ｖｒｅｆ以上のときには高電圧系を入力最大電圧Ｖｓｅｔ以下で制御するものとしても構わない。
【００３９】
実施例のハイブリッド自動車２０では、モータＭＧ２の動力を減速ギヤ３５により変速してリングギヤ軸３２ａに出力するものとしたが、図９の変形例のハイブリッド自動車１２０に例示するように、モータＭＧ２の動力をリングギヤ軸３２ａが接続された車軸（駆動輪６３ａ，６３ｂが接続された車軸）とは異なる車軸（図９における車輪６４ａ，６４ｂに接続された車軸）に接続するものとしてもよい。
【００４０】
実施例のハイブリッド自動車２０では、エンジン２２の動力を動力分配統合機構３０を介して駆動輪６３ａ，６３ｂに接続された駆動軸としてのリングギヤ軸３２ａに出力するものとしたが、図１０の変形例のハイブリッド自動車２２０に例示するように、エンジン２２のクランクシャフト２６に接続されたインナーロータ２３２と駆動輪６３ａ，６３ｂに動力を出力する駆動軸に接続されたアウターロータ２３４とを有し、エンジン２２の動力の一部を駆動軸に伝達すると共に残余の動力を電力に変換する対ロータ電動機２３０を備えるものとしてもよい。
【００４１】
実施例では、本発明の実施の形態としてハイブリッド自動車を用いて説明したが、自動車以外の車両の形態としてもよく、ハイブリッド車の制御方法の形態としてもよい。
【００４２】
ここで、実施例の主要な要素と課題を解決するための手段の欄に記載した発明の主要な要素との対応関係について説明する。実施例では、エンジン２２が「内燃機関」に相当し、動力分配統合機構３０とモータＭＧ１とが「電力動力入出力手段」に相当し、モータＭＧ２が「電動機」に相当し、バッテリ５０が「蓄電手段」に相当し、昇圧回路５５が「電圧調整電力授受手段」に相当し、車速センサ８８が「車速検出手段」に相当し、アクセル開度Ａｃｃと車速Ｖとに基づいて要求トルクＴｒ＊を設定する図３の駆動制御ルーチンのステップＳ１１０の処理を実行するハイブリッド用電子制御ユニット７０が「要求駆動力設定手段」に相当する。そして、モータ温度Ｔｍが閾値Ｔｒｅｆ未満で車速Ｖが閾値Ｖｒｅｆ未満のときには高電圧系を所定低電圧Ｖ１以下となるよう昇圧回路５５を制御すると共にバッテリ５０の入出力制限Ｗｉｎ，Ｗｏｕｔの範囲内で駆動軸としてのリングギヤ軸３２ａに要求トルクＴｒ＊が出力されて走行するようエンジン２２の目標回転数Ｎｅ＊，目標トルクＴｅ＊，モータＭＧ１，ＭＧ２のトルク指令Ｔｍ１＊，Ｔｍ２＊を設定してエンジンＥＣＵ２４やモータＥＣＵ４０に送信し、モータ温度Ｔｍが閾値Ｔｒｅｆ未満で車速Ｖが閾値Ｖｒｅｆ以上のときには高電圧系を入力最大電圧Ｖｓｅｔ以下となるよう昇圧回路５５を制御すると共にバッテリ５０の入出力制限Ｗｉｎ，Ｗｏｕｔの範囲内で駆動軸としてのリングギヤ軸３２ａに要求トルクＴｒ＊が出力されて走行するようエンジン２２の目標回転数Ｎｅ＊，目標トルクＴｅ＊，モータＭＧ１，ＭＧ２のトルク指令Ｔｍ１＊，Ｔｍ２＊を設定してエンジンＥＣＵ２４やモータＥＣＵ４０に送信し、モータ温度Ｔｍが閾値Ｔｒｅｆ以上のときには車速Ｖに拘わらずに高電圧系を入力最大電圧Ｖｓｅｔ以下となるよう昇圧回路５５を制御すると共にバッテリ５０の入出力制限Ｗｉｎ，Ｗｏｕｔの範囲内で駆動軸としてのリングギヤ軸３２ａに要求トルクＴｒ＊が出力されて走行するようエンジン２２の目標回転数Ｎｅ＊，目標トルクＴｅ＊，モータＭＧ１，ＭＧ２のトルク指令Ｔｍ１＊，Ｔｍ２＊を設定してエンジンＥＣＵ２４やモータＥＣＵ４０に送信する図４の電圧制御ルーチンのステップＳ３００〜Ｓ３５０の処理および図３の駆動制御ルーチンのステップＳ１２０〜Ｓ１７０の処理を実行するハイブリッド用電子制御ユニット７０と、受信した目標回転数Ｎｅ＊，目標トルクＴｅ＊に基づいてエンジン２２を制御するエンジンＥＣＵ２４と、受信したトルク指令Ｔｍ１＊，Ｔｍ２＊に基づいてモータＭＧ１，ＭＧ２を制御するモータＥＣＵ４０とが「制御手段」に相当する。温度センサ４６が「温度検出手段」に相当し、モータＭＧ１が「発電機」に相当し、動力分配統合機構３０が「３軸式動力入出力手段」に相当する。また、対ロータ電動機２３０も「電力動力入出力手段」に相当する。
【００４３】
ここで、「内燃機関」としては、ガソリンまたは軽油などの炭化水素系の燃料により動力を出力する内燃機関に限定されるものではなく、水素エンジンなど如何なるタイプの内燃機関であっても構わない。「電力動力入出力手段」としては、動力分配統合機構３０とモータＭＧ１とを組み合わせたものや対ロータ電動機２３０に限定されるされるものではなく、駆動軸に接続されると共に駆動軸とは独立に回転可能に内燃機関の出力軸に接続され電力と動力の入出力を伴って駆動軸と出力軸とに動力を入出力するものであれば如何なるものとしても構わない。「電動機」としては、同期発電電動機として構成されたモータＭＧ２に限定されるものではなく、誘導電動機など、駆動軸に動力を入出力可能なものであれば如何なるタイプの電動機であっても構わない。「蓄電手段」としては、二次電池としてのバッテリ５０に限定されるものではなく、キャパシタなど、発電機と電力のやりとりが可能であれば如何なるものとしても構わない。「電圧調整電力授受手段」としては、昇圧回路５５に限定されるものではなく、発電機および電動機に接続されると共に蓄電手段に接続され、発電機および電動機側の電圧と蓄電手段側の電圧とを調整することにより発電機および電動機側と蓄電手段側との電力の授受を行なうものであれば如何なるものとしても構わない。「車速検出手段」としては、車速センサ８８に限定されるものではなく、車速を検出するものであれば如何なるものとしても構わない。「要求駆動力設定手段」としては、アクセル開度Ａｃｃと車速Ｖとに基づいて要求トルクＴｒ＊を設定するものに限定されるものではなく、アクセル開度Ａｃｃだけに基づいて要求トルクを設定するものとしたり、走行経路が予め設定されているものにあっては走行経路における走行位置に基づいて要求トルクを設定するものとしたりするなど、走行に要求される要求駆動力を設定するものであれば如何なるものとしても構わない。「制御手段」としては、ハイブリッド用電子制御ユニット７０とエンジンＥＣＵ２４とモータＥＣＵ４０とからなる組み合わせに限定されるものではなく単一の電子制御ユニットにより構成されるなどとしてもよい。また、「制御手段」としては、モータ温度Ｔｍが閾値Ｔｒｅｆ未満で車速Ｖが閾値Ｖｒｅｆ未満のときには高電圧系を所定低電圧Ｖ１以下となるよう昇圧回路５５を制御すると共にバッテリ５０の入出力制限Ｗｉｎ，Ｗｏｕｔの範囲内で駆動軸としてのリングギヤ軸３２ａに要求トルクＴｒ＊が出力されて走行するようエンジン２２やモータＭＧ１，ＭＧ２を制御し、モータ温度Ｔｍが閾値Ｔｒｅｆ未満で車速Ｖが閾値Ｖｒｅｆ以上のときには高電圧系を入力最大電圧Ｖｓｅｔ以下となるよう昇圧回路５５を制御すると共にバッテリ５０の入出力制限Ｗｉｎ，Ｗｏｕｔの範囲内で駆動軸としてのリングギヤ軸３２ａに要求トルクＴｒ＊が出力されて走行するようエンジン２２やモータＭＧ１，ＭＧ２を制御し、モータ温度Ｔｍが閾値Ｔｒｅｆ以上のときには車速Ｖに拘わらずに高電圧系を入力最大電圧Ｖｓｅｔ以下となるよう昇圧回路５５を制御すると共にバッテリ５０の入出力制限Ｗｉｎ，Ｗｏｕｔの範囲内で駆動軸としてのリングギヤ軸３２ａに要求トルクＴｒ＊が出力されて走行するようエンジン２２やモータＭＧ１，ＭＧ２を制御するものに限定されるものではなく、モータ温度Ｔｍが閾値Ｔｒｅｆ以上であっても、車速Ｖが閾値Ｖｒｅｆ未満のときには高電圧系を所定低電圧Ｖ１以下で制御し、車速Ｖが閾値Ｖｒｅｆ以上のときには高電圧系を入力最大電圧Ｖｓｅｔ以下で制御するものとするなど、車速が所定車速未満のときには駆動側の電圧が電力動力入出力手段および電動機の定格値から予め設定された許容最大電圧より低い第１電圧以下で調整されるよう電圧調整電力授受手段を制御すると共に要求駆動力に基づく駆動力によって走行するよう内燃機関と電力動力入出力手段と電動機とを制御し、車速が所定車速以上のときには駆動側の電圧が許容最大電圧以下で調整されるよう電圧調整電力授受手段を制御すると共に要求駆動力に基づく駆動力によって走行するよう内燃機関と電力動力入出力手段と電動機とを制御するものであれば如何なるものとしても構わない。「発電機」としては、同期発電電動機として構成されたモータＭＧ１に限定されるものではなく、誘導電動機など、動力を入出力可能なものであれば如何なるタイプの発電機としても構わない。「３軸式動力入出力手段」としては、上述の動力分配統合機構３０に限定されるものではなく、ダブルピニオン式の遊星歯車機構を用いるものや複数の遊星歯車機構を組み合わせて４以上の軸に接続されるものやデファレンシャルギヤのように遊星歯車とは異なる作動作用を有するものなど、駆動軸と出力軸と発電機の回転軸との３軸に接続され、３軸のうちのいずれか２軸に入出力される動力に基づいて残余の軸に動力を入出力するものであれば如何なるものとしても構わない。
【００４４】
なお、実施例の主要な要素と課題を解決するための手段の欄に記載した発明の主要な要素との対応関係は、実施例が課題を解決するための手段の欄に記載した発明を実施するための最良の形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００４５】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４６】
本発明は、ハイブリッド車の製造産業などに利用可能である。
【図面の簡単な説明】
【００４７】
【図１】本発明の一実施例であるハイブリッド自動車２０の構成の概略を示す構成図である。
【図２】モータＭＧ１，ＭＧ２を含む電機駆動系の構成の概略を示す構成図である。
【図３】実施例のハイブリッド用電子制御ユニット７０により実行される駆動制御ルーチンの一例を示すフローチャートである。
【図４】実施例のハイブリッド用電子制御ユニット７０により実行される電圧制御ルーチンの一例を示すフローチャートである。
【図５】要求トルク設定用マップの一例を示す説明図である。
【図６】動作ラインの一例と動作ラインを用いて目標回転数Ｎｅ＊と目標トルクＴｅ＊を設定する様子の一例を示す説明図である。
【図７】動力分配統合機構３０の回転要素を力学的に説明するための共線図の一例を示す説明図である。
【図８】仮電圧設定用マップの一例を示す説明図である。
【図９】変形例のハイブリッド自動車１２０の構成の概略を示す構成図である。
【図１０】変形例のハイブリッド自動車２２０の構成の概略を示す構成図である。
【符号の説明】
【００４８】
２０，１２０，２２０  ハイブリッド自動車、２２  エンジン、２４  エンジン用電子制御ユニット（エンジンＥＣＵ）、２６  クランクシャフト、２８  ダンパ、３０  動力分配統合機構、３１  サンギヤ、３２  リングギヤ、３２ａ  リングギヤ軸、３３  ピニオンギヤ、３４  キャリア、３５  減速ギヤ、４０  モータ用電子制御ユニット（モータＥＣＵ）、４１，４２  インバータ、４３，４４  回転位置検出センサ、５０  バッテリ、５１ａ  電圧センサ、５１ｂ  電流センサ、５１ｃ  温度センサ、５２  バッテリ用電子制御ユニット（バッテリＥＣＵ）、５４  電力ライン、５４ａ  正極母線、５４ｂ  負極母線、５５  昇圧回路、５５ａ  温度センサ、５６  システムメインリレー、５７，５８  コンデンサ、５７ａ，５８ａ  電圧センサ、６０  ギヤ機構、６２  デファレンシャルギヤ、６３ａ，６３ｂ  駆動輪、６４ａ，６４ｂ  車輪、７０  ハイブリッド用電子制御ユニット、７２  ＣＰＵ、７４  ＲＯＭ、７６  ＲＡＭ、８０  イグニッションスイッチ、８１  シフトレバー、８２  シフトポジションセンサ、８３  アクセルペダル、８４  アクセルペダルポジションセンサ、８５  ブレーキペダル、８６  ブレーキペダルポジションセンサ、８８  車速センサ、２３０  対ロータ電動機、２３２  インナーロータ  ２３４  アウターロータ、ＭＧ１，ＭＧ２  モータ、Ｄ１１〜Ｄ１６，Ｄ２１〜Ｄ２６，Ｄ３１，Ｄ３２  ダイオード、Ｔ１１〜Ｔ１６，Ｔ２１〜Ｔ２６，Ｔ３１，Ｔ３２  トランジスタ、Ｌ  リアクトル。
【図１】
0004453765.tif 000002
【図２】
0004453765.tif 000003
【図３】
0004453765.tif 000004
【図４】
0004453765.tif 000005
【図５】
0004453765.tif 000006
【図６】
0004453765.tif 000007
【図７】
0004453765.tif 000008
【図８】
0004453765.tif 000009
【図９】
0004453765.tif 000010
【図１０】
0004453765.tif 000011